【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
走査信号を伝達する第１ゲート線、前記第１ゲート線と絶縁されて交差するデータ線、前記第１ゲート線と前記データ線が交差して定義する画素ごとに形成されている画素電極、前記第１ゲート線に連結されているゲート電極、前記データ線の一部に連結されたソース電極及び前記画素電極に連結されているドレーン電極を含む第１薄膜トランジスタ、前記度レーン電極に連結された第１画素電極、前記第１画素電極と重なって保持容量を形成する維持電極を含む薄膜トランジスタ表示板と、
前記薄膜トランジスタ表示板と対向し、前記画素電極と重なって液晶容量を形成し、前記維持電極または前記ドレーン電極と重なる部分に開口部を有する共通電極が形成されている共通電極表示板と、
を含む液晶表示装置。
【請求項２】
前記データ線は前記画素の長さを単位として反復的に現れる曲がった部分と前記ゲート線と交差する部分とを有する請求項１に記載の液晶表示装置。
【請求項３】
前記データ線の曲がった部分は少なくとも２つの直線部を含み、前記２つの直線部のうちの１つは前記ゲート線に対して実質的に４５度をなし、もう１つは前記ゲート線に対して実質的に−４５度をなしている請求項２に記載の薄膜トランジスタ表示板。
【請求項４】
前記画素電極は前記各画素において前記データ線の曲がった部分に沿ってパターニングされている請求項２に記載の液晶表示装置。
【請求項５】
前記画素電極の縁は前記画素で前記データ線と重畳する請求項１に記載の液晶表示装置。
【請求項６】
前記第１ゲート線およびデータ線に分離され、前記第１画素電極に隣接して配置される第２ゲート線と、
前記第２ゲート線に接続される第２薄膜トランジスタと、
前記第２薄膜トランジスタに接続される第２画素電極と、
をさらに備える、請求項１に記載の液晶表示装置。
【請求項７】
前記維持電極は前記第２ゲート線と接続されている、請求項６に記載の液晶表示装置。
【請求項８】
前記維持電極および画素電極の間に配置され、前記画素電極に電気的に接続される維持蓄電器用導電体をさらに備える、請求項７に記載の液晶表示装置。
【請求項９】
前記維持電極は前記第２ゲート線に接続されていない、請求項６に記載の液晶表示装置。
【請求項１０】
前記薄膜トランジスタ表示板または共通電極表示板に形成され、前記データ線によって区分されている画素列に沿って赤、緑及び青の色フィルターをさらに含む請求項１に記載の液晶表示装置。
【請求項１１】
前記薄膜トランジスタ表示板と前記共通電極表示板との間に形成されている液晶層をさらに含む、請求項１に記載の液晶表示装置。
【請求項１２】
前記液晶層に含まれている液晶は負の誘電率異方性を有し、前記液晶のその長軸が２つの前記表示板に対して垂直に配向されている請求項１１に記載の液晶表示装置。
【請求項１３】
前記共通電極と前記画素電極は前記液晶層の液晶分子を分割配向する画素分割手段を有する請求項１２に記載の液晶表示装置。
【請求項１４】
前記画素分割手段は、前記画素電極または共通電極に形成される切開部である請求項１３に記載の液晶表示装置。
【請求項１５】
前記画素分割手段は、前記画素電極または共通電極に形成される突起である請求項１３に記載の液晶表示装置。
【請求項１６】
前記ソース電極及びドレーン電極の間に位置する第１部分を含み、前記ゲート電極に対向して配置される半導体層をさらに含む請求項１に記載の液晶表示装置。
【請求項１７】
前記半導体層は前記データ線の下部までのびている第２部分をさらに含む、請求項１６に記載の液晶表示装置。
【請求項１８】
前記ソース電極と前記ドレーン電極との間のチャンネル部を除いた前記半導体層は、前記データ線と前記ドレーン電極と同一のパターンを有する請求項１７に記載の液晶表示装置。
【請求項１９】
絶縁基板と、
前記絶縁基板上に形成され、ゲート電極を含むゲート線と、
前記絶縁基板上に形成され、前記ゲート線と絶縁されて交差する交差部分と前記交差部分以外の曲がった部分を含むデータ線と、
前記ゲート線と前記データ線が交差して定義する前記画素ごとに形成されている画素電極と、
前記ゲート電極、前記データ線に連結されているソース電極及び前記画素電極と連結されているドレーン電極を含む薄膜トランジスタと、
前記画素電極または前記ドレーン電極と重畳して保持容量を形成する維持電極と、
を含み、前記データ線の曲がった部分と前記ゲート線と交差する部分は前記画素の長さを単位として反復的に現れ、前記ドレーン電極または前記維持電極の一部は少なくとも前記画素で前記曲がった部分に沿ってのびている薄膜トランジスタ表示板。
【請求項２０】
前記データ線の曲がった部分は少なくとも２つの直線部を含み、前記２つの直線部のうちの１つは前記ゲート線に対して実質的に４５度をなし、もう１つは前記ゲート線に対して実質的に−４５度をなす請求項１９に記載の薄膜トランジスタ表示板。
【請求項２１】
前記ドレーン電極と前記維持電極は互いに重畳する請求項１９に記載の薄膜トランジスタ表示板。
【請求項２２】
前記薄膜トランジスタのソース電極は前記データ線の交差部分に連結されている請求項１９に記載の薄膜トランジスタ表示板。
【請求項２３】
前記画素電極は前記各画素において前記データ線の曲がった部分に沿ってパターニングされている請求項１９に記載の薄膜トランジスタ表示板。
【請求項２４】
前記画素電極の縁は前記画素で前記データ線と重畳する請求項１９に記載の薄膜トランジスタ表示板。
【請求項２５】
前記画素は２つ以上の副画素に分けられ、前記画素電極は切開部を通じて前記副画素にそれぞれ分離されている請求項１３に記載の薄膜トランジスタ表示板。
【請求項２６】
前記ソース及びドレーン電極の間に位置する第１部分を含み、前記ゲート電極に対向する位置に形成されている半導体層をさらに含む請求項１９に記載の薄膜トランジスタ表示板。
【請求項２７】
前記半導体層は前記データ線の下部まで延長している第２部分をさらに含む、請求項２６に記載の薄膜トランジスタ表示板。
【請求項２８】
前記半導体層は、前記第１部分を除いて、前記データ線、前記ソース電極および前記ドレーン電極とほぼ同一のパターンを有する請求項２７に記載の薄膜トランジスタ表示板。
【請求項２９】
薄膜トランジスタ表示板と、
基板と、
前記基板上に形成され、ゲート電極を含むゲート線と、
前記基板上に形成され、前記ゲート線に交差する交差部分と前記交差部分以外の曲がった部分を含むデータ線と、
前記ゲート線に接続されるゲート電極、前記データ線に接続されるソース電極、及びドレーン電極を含む薄膜トランジスタと、
前記ドレーン電極に接続される画素電極と、
前記画素電極およびドレーン電極のうち少なくともいずれか一つと絶縁体を介して重畳する維持電極と、
前記薄膜トランジスタ表示板に対向し、前記データ線の曲がった部分と平行に延長された部分を含む共通電極と、
を備え、前記ドレーン電極と維持電極のうち少なくともいずれか一つが前記データ線の曲がった部分と平行に延長された部分を含む液晶表示装置。
【請求項３０】
前記薄膜トランジスタ表示板または共通電極表示板に形成され、前記データ線によって区分されている画素列に沿って形成されている赤、緑及び青の色フィルターをさらに含む請求項２９に記載の液晶表示装置。
【請求項３１】
前記薄膜トランジスタ表示板と前記共通電極表示板との間に形成されている液晶層をさらに含み、
前記液晶層に含まれている液晶は負の誘電率異方性を有し、前記液晶のその長軸が前記２つの表示板に対して垂直に配向されている請求項２９に記載の液晶表示装置。
【請求項３２】
前記共通電極と前記画素電極は前記液晶層の液晶分子を分割配向する画素分割手段を有する請求項２９に記載の液晶表示装置。
【請求項３３】
前記画素分割手段は前記画素電極または共通電極に形成された切開部である請求項３２に記載の液晶表示装置。
【請求項３４】
前記画素分割手段は前記画素電極または共通電極に形成された突起である請求項３２に記載の液晶表示装置。
【請求項３５】
前記画素分割手段は前記データ線の形状に沿って曲がった形態で形成されている請求項３２に記載の液晶表示装置。
【請求項３６】
前記画素分割手段は前記ドレーン電極または前記維持電極と重なっている請求項３５に記載の液晶表示装置。